(57)【要約】【課題】簡素な構造でありながら、ソケット及び基板の放熱性とハロゲン電球の交換容易性を実現したライン光照射装置を提供する。【解決手段】複数のハロゲン電球２と、各ハロゲン電球２がそれぞれ取り付けられるものであり、直線状に並べて設けられた複数のソケット３と、前記複数のソケット３と配線を介して接続される基板４と、前記複数のハロゲン電球２、前記複数のソケット３、及び、前記基板４が内部に収容される筺体１と、を備え、前記筺体１が、前記複数のハロゲン電球２から射出された光が通過し、前記筺体１の外部へ射出される光射出口１７と、前記ソケット３の配列方向に沿って延び、内面側に前記複数のソケット３、及び、前記基板４が取り付けられた放熱側面板１２と、を具備した。【選択図】図５
2020087808.tif 000002
【特許請求の範囲】
【請求項１】
複数のハロゲン電球と、
各ハロゲン電球がそれぞれ取り付けられるものであり、直線状に並べて設けられた複数のソケットと、
前記複数のソケットと配線を介して接続される基板と、
前記複数のハロゲン電球、前記複数のソケット、及び、前記基板が内部に収容される筺体と、を備え、
前記筺体が、
前記複数のハロゲン電球から射出された光が通過し、前記筺体の外部へ射出される光射出口と、
前記ソケットの配列方向に沿って延び、内面側に前記複数のソケット、及び、前記基板が取り付けられた放熱側面板と、を具備することを特徴とするライン光照射装置。
【請求項２】
前記放熱側面板において前記光射出口側に前記複数のソケットが取り付けられており、
前記放熱側面板において前記光射出口とは反対側に前記基板が取り付けられている請求項１記載のライン光照射装置。
【請求項３】
前記筺体が、
前記放熱側面板の対向面をなし、着脱可能に構成されたカバー側面板、を具備する請求項１又は２記載のライン光照射装置。
【請求項４】
前記筺体内において前記複数のハロゲン電球、前記基板、前記カバー側面板とで囲われた空洞部が形成された請求項３記載のライン光照射装置。
【請求項５】
前記複数のハロゲン電球から射出された光を前記光射出口側へと反射する反射構造をさらに備え、
前記反射構造が、筺体内を前記複数のハロゲン電球が配置された光射出部と、前記基板が配置された空洞部とに仕切る請求項１乃至４いずれかに記載のライン光照射装置。
【発明の詳細な説明】
【技術分野】
【０００１】
本発明はハロゲン電球を用いたライン光照射装置に関するものである。
【背景技術】
【０００２】
ハロゲン電球等のようにフィラメントを発光させる方式の光源は、波長領域が広く、赤外領域まで高い強度を有する光を射出し、この点において、ＬＥＤよりも優れている。このため現在においても、赤外カメラを用いた異物混入検査や外観検査等において、検査対象に対し赤外光を照射するための光源としてハロゲン電球等が使用されている。
【０００３】
従来のハロゲン電球を用いたライン光照射装置としては、例えば特許文献１に開示されるように、フィラメントを有する発光部からソケットに接続される端子が伸びる複数のハロゲン電球を一列に並べてなる光源列型のものがある。
【０００４】
ところで、各ハロゲン電球を所定の明るさで制御し続けたり、故障等が生じにくくしたりするには、各ソケットだけでなく、各ソケットに対して給電する基板も十分な放熱性を実現しなくてはならない。
【０００５】
また、ハロゲン電球のフィラメントが切れた場合にはライン光の均一性が保たれるように容易に交換できる必要がある。
【０００６】
しかしながら、従来のハロゲン電球等を用いたライン光照射装置ではこれらの機能が簡素な構成で実現できておらず、仕様要求に見合った製品が供給されていないのが実情である。
【先行技術文献】
【特許文献】
【０００７】
【特許文献１】実開昭５６−６０９４９号公報
【発明の概要】
【発明が解決しようとする課題】
【０００８】
本発明は上述したような問題に鑑みてなされたものであり、簡素な構造でありながら、ソケット及び基板の放熱性とハロゲン電球の交換容易性を実現したライン光照射装置を提供することを目的とする。
【課題を解決するための手段】
【０００９】
すなわち、本発明に係るライン光照射装置は、複数のハロゲン電球と、各ハロゲン電球がそれぞれ取り付けられるものであり、直線状に並べて設けられた複数のソケットと、前記複数のソケットと配線を介して接続される基板と、前記複数のハロゲン電球、前記複数のソケット、及び、前記基板が内部に収容される筺体と、を備え、前記筺体が、前記複数のハロゲン電球から射出された光が通過し、前記筺体の外部へ射出される光射出口と、前記ソケットの配列方向に沿って延び、内面側に前記複数のソケット、及び、前記基板が取り付けられた放熱側面板と、を具備することを特徴とする。
【００１０】
このようなものであれば、前記放熱側面板に前記複数のソケット、及び、前記基板が直接取り付けられているので、放熱効率を高めることができ、両者について十分な放熱性を実現することが可能となる。
【００１１】
また、前記放熱側面板に他の部品と比較して体積の大きい前記複数のソケットと前記基板を集約できるので、前記筺体内において例えば前記放熱側面板の対面側にスペースを形成しやすくなる。このため、前記複数のハロゲン電球を交換する際に作業者が手を入れやすいように設計しやすい。
【００１２】
これらのことから、本発明に係るライン光照射装置は簡素な構成としながらも、前記複数のソケット、及び、前記基板の放熱性を十分に実現しながら、ハロゲン電球の交換作業を容易にすることができる。
【００１３】
前記光射出口に対して前記複数のハロゲン電球を近づけて配置することができ、前記光射出口から十分な強度のライン光が射出されるようにするには、前記放熱側面板において前記光射出口側に前記複数のソケットが取り付けられており、前記放熱側面板において前記光射出口とは反対側に前記基板が取り付けられていればよい。
【００１４】
例えば前記光射出口側に設けられた光学系を取り外すことなく、前記複数のハロゲン電球のいずれかの交換作業を行えるようにするには、前記前記筺体が、前記放熱側面板の対向面をなし、着脱可能に構成されたカバー側面板、を具備するものであればよい。
【００１５】
例えば前記光射出口側に設けられた光学系に干渉することなく、前記複数のハロゲン電球の交換作業を行えるように十分な作業スペースを前記筐体内に形成できるようにし、交換作業をさらに容易にするには、前記筺体内において前記複数のハロゲン電球、前記基板、前記カバー側面板とで囲われた空洞部が形成されたものであればよい。
【００１６】
前記複数のハロゲン電球から射出された光を無駄なく前記光射出口側へと導くことができるとともに、前記複数のハロゲン電球で発生する熱については前記基板には伝導しにくくするには、前記複数のハロゲン電球から射出された光を前記光射出口側へと反射する反射構造をさらに備え、前記反射構造が、筺体内を前記複数のハロゲン電球が配置された光射出部と、前記基板が配置された空洞部とに仕切るものであればよい。
【発明の効果】
【００１７】
このように本発明に係るライン光照射装置によれば、前記放熱側面板に前記複数のソケット、及び、前記基板が直接取り付けられているので、それぞれの放熱部分を共通化しつつ、放熱効率を大きくすることができる。このため、前記筐体内に前記ハロゲン電球の交換作業のためのスペースを確保しつつ、全体の構成を簡素にしやすい。
【図面の簡単な説明】
【００１８】
【図１】本発明の一実施形態に係るライン光照射装置を示す模式的斜視図。
【図２】同実施形態のライン光照射装置からカバー側面板を取り外した状態を示す模式的斜視図。
【図３】同実施形態のライン光照射装置からカバー側面板、シリンドリカルレンズ、端面板を取り外した状態を示す模式的斜視図。
【図４】同実施形態のライン光照射装置からカバー側面板、シリンドリカルレンズ、端面板、第１ミラーを取り外した状態を示す模式的斜視図。
【図５】同実施形態のライン光照射装置の模式的横断面図。
【図６】同実施形態のライン光照射装置における放熱側面板の詳細を示す模式図。
【発明を実施するための形態】
【００１９】
本発明の一実施形態に係るライン光照射装置１００は、例えば、赤外カメラを使用して異物混入検査や外観検査等を実施する場合に、検査対象に対して赤外光を照射するための光源として使用されるものである。なお、本発明に係るライン光照射装置１００の用途は、前記検査用の光源に限定されず、その他の用途にも使用でき、また、照射される光の波長も何ら限定されるものではない。
【００２０】
ライン光照射装置１００は、図１乃至図５に示すように、内部からライン光が射出される光射出口１７が形成された概略直方体状の筺体１を備えたものである。筺体１内には、ハロゲン電球２をソケット３に接続してなる光源ユニットを一列に並べた光源列と、各ソケット３に対して配線で接続される基板４と、各光源から射出される光を集光するシリンドリカルレンズ５と、が収容されている。
【００２１】
筺体１は、複数枚の板によって構成されており、図２乃至図４に示すように、シリンドリカルレンズ５を軸方向に挟持し、筺体１の端面を形成する一対の端面板１１と、複数のソケット３及び基板４が取り付けられる放熱側面板１２と、放熱側面板１２の対向面をなし、着脱可能に構成されたカバー側面板１３と、一対の端面板１１及びカバー側面板１３とともに光射出口１７を形成する前面板１４と、底面を封止する底面板１５と、を備えている。
【００２２】
一対の端面板１１において光射出口１７側には、図２に示すように、シリンドリカルレンズ５の端面が差し込まれて取り付けられる円形状の凹部１６が形成されている。
【００２３】
放熱側面板１２は、図３及び図４に示すように光射出口１７が延びる方向を長手方向とする長尺状の金属板であり、放熱する必要がある各ソケット３、及び、基板４が内面側に取り付けられるものである。放熱側面板１２において光射出口１７側には長手方向に沿って各ソケット３が一列に配列されている。これらの各ソケット３にそれぞれハロゲン電球２が取り付けられることによって光源列が形成される。
【００２４】
ハロゲン電球２は、フィラメントを封入した発光部２１と、フィラメントの両端から伸びる導入線の一端に接続されて発光部２１の外側へ引き出される一対の端子２３とを備えた構成になっている。なお、発光部２１は、少なくともフィラメント封入部がガラスによって形成され、発光部２１の一端には、チップガラス融着部が突出し、発光部の他端には、導入線及び端子の接合部分を挟み込んで封止する扁平状の封止部２２が形成されている。また、フィラメントは、一対の端子２３が延びる方向に垂直に配置される。本実施形態では図５に示すようにハロゲン電球２がソケット３に取り付けられた状態で光射出口１７に対して発光部２１の側面側が向くように配置される。
【００２５】
さらに、図６に示すように放熱側面板１２において光射出口１７とは反対側には長方形状の複数の基板４が取り付けられている。この基板４は例えば外部からの入力線が接続される外部接続コネクタ４２と、各ソケット３に配線を介して接続される内部接続コネクタ４１と、を備えている。外部接続コネクタ４２を介して外部から供給される電力や制御信号等は基板４において内部接続コネクタ４１を介して各ソケット３に対して分配される。また、外部接続コネクタ４２と内部接続コネクタ４１と間は各内部接続コネクタ４１の設置間隔よりも広く設定されている。
【００２６】
このようにライン光照射装置１００において放熱が必要な部材である各ソケット３及び基板４については放熱側面板１２の内面以外には接触しないように取り付けられている。この結果、放熱面積を大きくし、それぞれの部材について十分な放熱が行われるようにしてある。
【００２７】
図５に示すようにカバー側面板１３は、シリンドリカルレンズ５及び各ハロゲン電球２の先端部にその内面が近接するように配置されるものである。したがって、筺体１内において光射出口１７側には部材が密集しているが、筺体１内において光射出口１７とは反対側には各ハロゲン電球２、放熱側面板１２、カバー側面板１３、底面板１５によって囲われた空洞部７２が形成されている。
【００２８】
さらに図５に示すように、筺体１内はハロゲン電球２において光射出口１７とは反対側とハロゲン電球２のソケット３側が反射機構６により覆われており、筺体１内は反射機構６によって光射出部７１と空洞部７２に仕切られている。
【００２９】
反射機構６は、図３及び図５に示すように、放熱側面板１２において各ソケット３のハロゲン電球２が取り付けられる側に設けられた長方形状の第１ミラー６１と、カバー側面板１３に設けられた横断面がＬ字状の第２ミラー６２と、を備えている。カバー側面板１３が端面板１１及び底面板１５に取り付けられている状態では、第２ミラー６２は各ハロゲン電球２の先端側と光射出口１７とは反対側を覆うように配置される。したがって、第１ミラー６１及び第２ミラー６２によって、ハロゲン電球２から射出される光のうち光射出口１７以外の方向に射出される光は、反射されてその一部は光射出口１７へと導かれる。各ハロゲン電球２から射出された光はシリンドリカルレンズ５に入射し、集光されて光射出口１７からライン光として射出される。
【００３０】
また、第１ミラー６１及び第２ミラー６２はそれぞれ別々のミラーとして構成されているため、図２に示すようにカバー側面板１３を外すと第２ミラー６２もともに取り外され、各ハロゲン電球２が外部に露出するように構成されている。
【００３１】
このように構成された本実施形態のライン光照射装置１００であれば、放熱側面板１２に複数のソケット３、及び、基板４が直接取り付けられているので、放熱効率を高めることができる。また、ソケット３の配列方向に沿って延びる放熱側面板１２であれば、ライン光照射装置１００としての幅寸法を大きくせずに高さ方向の寸法を大きくして放熱面積をより大きくしてさらに放熱性を高めることができる。これらのことから、ライン光照射装置１００の幅寸法についてはほぼハロゲン電球２とソケット３の大きさ程度の寸法内に抑えてコンパクトなものにしつつ、十分な放熱性を実現することができる。
【００３２】
また、放熱側面板１２に他の部品と比較して体積の大きい複数のソケット３と前記基板４を集約できる。このため、筺体１内においては光射出口１７とは反対側に空洞部７２を形成し、カバー側面板１３を取り外した状態でこの空洞部７２が外部に露出するように構成することができる。したがって、ハロゲン電球２を交換する際には作業者はこの空洞部７２に手を入れて、交換作業を行いやすくすることができる。また、このような空洞部７２を形成できるのは筺体１内において光射出口１７側に光学機器が集約されており、筺体１内において光射出口１７とは反対側、即ち、底面板１５側には板状で放熱側面板１２からの突出量を小さくできる基板４のみが配置しているからである。
【００３３】
これらのことから、本実施形態のライン光照射装置１００は簡素な構成でありながらも、複数のソケット３、及び、基板４の放熱性を十分に実現しながら、ハロゲン電球２の交換作業を容易にすることができる。
【００３４】
加えて、反射機構６によって筺体１内が光射出部と空洞部７２の２つに仕切られているので、光射出口１７以外に射出される光が空洞部７２側や放熱側面板１２側へと入射するのを防ぐことができる。したがって、ハロゲン電球２から射出される赤外線等により各ソケット３、基板４、及び、筺体１自体が加熱されるのを防ぎ、放熱性が低下するのを防ぐことができる。
【００３５】
その他の実施形態について説明する。
【００３６】
放熱側面板に取り付けられる部材は、ソケット、及び、基板のみに限られず、その他の放熱を必要とする部材を取り付けても良い。また、放熱側面板におけるソケット及び基板の配置については前記実施形態に示した物に限られない。例えば光射出口側に基板が取り付けられて、光射出側とは反対側にソケットが配置されるようにしてもよい。
【００３７】
基板については外部からの入力を各ソケットへ中継する中継基板としての機能を有する物に限られず、例えば調光機能等の制御ロジックが実測された制御基板であっても構わない。
【００３８】
各ハロゲン電球から射出される光によってライン光を形成するための集光部材としての光学機器はシリンドリカルレンズに限られるものではない。例えば凹面鏡等を用いてライン光を形成してもよい。
【００３９】
その他、本発明の趣旨に反しない限りにおいて、各構成要素を変形したり、様々な実施形態の構成要素同士を組み合わせたりしても構わない。
【符号の説明】
【００４０】
１００・・・ライン光照射装置
１    ・・・筺体
１２  ・・・放熱側面板
１３  ・・・カバー側面板
１７  ・・・光射出口
２    ・・・ハロゲン電球
３    ・・・ソケット
４    ・・・基板
７２  ・・・空洞部
【図１】
2020087808.tif 000003
【図２】
2020087808.tif 000004
【図３】
2020087808.tif 000005
【図４】
2020087808.tif 000006
【図５】
2020087808.tif 000007
【図６】
2020087808.tif 000008